(57)【要約】【課題】防水扉の設置態様等によって、第２圧迫機構の使用が困難な納まりであっても、確実に止水機能を確保することができる防水扉を提供する。【解決手段】建物開口部を閉鎖するシャッターカーテンと、開口部全閉状態にあるシャッターカーテンを垂直方向に圧迫して垂直圧迫状態とする第１圧迫機構７と、垂直圧迫状態にあるシャッターカーテンを水平方向に圧迫して水平圧迫状態とする第２圧迫機構と、第１圧迫機構７を作動させる電動操作部（圧迫ボタンＳ４、圧迫解除ボタンＳ５）と、第２圧迫機構を作動させる手動操作部８とを備えた防水扉。【選択図】図２１
2019190149.tif 000002
【特許請求の範囲】
【請求項１】
建物開口部を閉鎖する扉体と、
開口部全閉状態にある扉体を垂直方向に圧迫して垂直圧迫状態とする第１圧迫機構と、
垂直圧迫状態にある扉体を水平方向に圧迫して水平圧迫状態とする第２圧迫機構と、
前記第１圧迫機構を作動させる電動操作部と、
前記第２圧迫機構を作動させる手動操作部と、
を備えた、防水扉。
【請求項２】
扉体が垂直圧迫状態にあることを検知して垂直圧迫状態検知信号を出力する垂直圧迫状態検知手段と、
垂直圧迫状態検知信号が出力されている時に垂直圧迫状態であることを表示する垂直圧迫状態表示部と、
を備えた請求項１に記載の防水扉。
【請求項３】
前記手動操作部は、扉体の水平圧迫解除状態に対応する第１姿勢と、扉体の水平圧迫状態に対応する第２姿勢との間で可動であり、
手動操作部が第１の姿勢にあることを検知して水平圧迫解除信号を出力する水平圧迫解除状態検知手段と、
手動操作部が第２の姿勢にあることを検知して水平圧迫状態検知信号を出力する水平圧迫状態検知手段と、
を備えた、請求項１、２いずれか１項に記載の防水扉。
【請求項４】
扉体の垂直圧迫状態及び水平圧迫状態が検知されている時に、垂直圧迫状態かつ水平圧迫状態であることを表示する圧迫状態表示部を備えた、請求項３に記載の防水扉。
【請求項５】
扉体の水平圧迫解除状態が検知されている時に、前記電動操作部から入力信号を有効とし、
扉体の水平圧迫解除状態が検知されていない時に、前記電動操作部から入力信号を無効とする、
請求項３、４いずれか１項に記載の防水扉。
【請求項６】
前記扉体は、建物開口部の両端に設けた左右のガイド枠に案内されるシャッターカーテンであり、
前記手動操作部は、左右のガイド枠の各ガイド枠に夫々少なくとも１つ設けてあり、
全ての手動操作部に対応する水平圧迫状態検知信号が出力された時に、扉体が水平圧迫状態であると判定し、
全ての手動操作部に対応する水平圧迫解除信号が出力された時に、扉体が水平圧迫解除状態であると判定する、
請求項３〜５いずれか１項に記載の防水扉。
【請求項７】
前記垂直圧迫状態表示部は、扉体が垂直圧迫状態かつ水平圧迫解除状態の時に点灯し、
前記圧迫状態表示部は、扉体が垂直圧迫状態かつ水平圧迫状態の時に点灯し、
扉体が垂直圧迫解除状態かつ水平圧迫解除状態の時に点灯する圧迫解除状態表示部を備えた、
請求項３〜６（請求項２を引用する請求項に限る）いずれか１項に記載の防水扉。
【請求項８】
前記電動操作部は、圧迫信号入力部と圧迫解除信号入力部を備え、
扉体が垂直圧迫解除状態かつ水平圧迫解除状態の時に、電動操作部の圧迫信号入力部から圧迫信号が入力されると、点灯中の圧迫解除状態表示部が消灯し、
扉体の垂直圧迫が完了して扉体が垂直圧迫状態かつ水平圧迫解除状態となると、消灯中の垂直圧迫状態表示部が点灯し、
手動操作部からの水平圧迫操作によって、点灯中の垂直圧迫状態表示部が消灯し、
扉体の水平圧迫が完了して扉体が垂直圧迫状態かつ水平圧迫状態となると、消灯中の圧迫状態表示部が点灯し、
手動操作部からの水平圧迫解除操作によって、点灯中の圧迫状態表示部が消灯し、
扉体の水平圧迫が解除されて扉体が垂直圧迫状態かつ水平圧迫解除状態となると、消灯中の垂直圧迫状態表示部が点灯し、
電動操作部の圧迫解除信号入力部から圧迫解除信号が入力されると、点灯中の垂直圧迫状態表示部が消灯し、
扉体の垂直圧迫が解除されて扉体が垂直圧迫解除状態かつ水平圧迫解除状態となると、消灯中の圧迫解除状態表示部が点灯する、
請求項７に記載の防水扉。
【発明の詳細な説明】
【技術分野】
【０００１】
本発明は、防水扉に関するものである。
【背景技術】
【０００２】
近年、異常気象によるゲリラ豪雨が頻繁に発生し、都市部において、地下鉄構内やビル地階への雨水の浸水事故が発生している。非常時に建築物等の入り口等に設置して、外部の水が建物内に浸水するのを防ぎたい場合がある。また、ゲリラ豪雨時に限らず、建物開口部を止水状態で閉鎖して内部への浸水を防止したい場合がある。
【０００３】
本出願人は、全閉状態のシャッターカーテンを垂直方向に下方に圧迫する第１圧迫機構と、シャッターカーテンを水平方向に圧迫する第２圧迫機構を備えた防水扉を提案しており、電動によって垂直圧迫及び水平圧迫を行うようにしている（特許文献１）。
【０００４】
第１圧迫機構及び第２圧迫機構の駆動手段は、建物開口部上方の空間に配置しているが、防水扉の設置態様によっては、駆動手段を配置することが困難な場合がある。例えば、防水パネルシャッターをいわゆる外付仕様にする場合において、第２圧迫機構によって、シャッターカーテンを室外側から室内側に水平に圧迫させたい時には、第２圧迫機構の駆動手段を設ける位置がシャッターパネルの昇降経路と干渉するため、駆動手段を設けることが困難である。
【特許文献１】特開２０１５−１５１７４９
【発明の開示】
【発明が解決しようとする課題】
【０００５】
本発明は、防水扉の設置態様等によって、第２圧迫機構の使用が困難な納まりであっても、確実に止水機能を確保することができる防水扉を提供することを目的とするものである。
【課題を解決するための手段】
【０００６】
本発明が採用した技術手段は、
建物開口部を閉鎖する扉体と、
開口部全閉状態にある扉体を垂直方向に圧迫して垂直圧迫状態とする第１圧迫機構と、
垂直圧迫状態にある扉体を水平方向に圧迫して水平圧迫状態とする第２圧迫機構と、
前記第１圧迫機構を作動させる電動操作部と、
前記第２圧迫機構を作動させる手動操作部と、
を備えた、防水扉である。
１つの態様では、第２圧迫機構は、扉体を室外側から室内側に向かって圧迫する。
１つの態様では、防水扉は防水シャッターであり、シャッター収納部は、建物開口部上方において、シャッター芯に対して室外側に位置しており、第１圧迫機構は、シャッター芯に対して室内側に位置しており、第２圧迫機構は、扉体を室外側から室内側に向かって圧迫する。
【０００７】
１つの態様では、扉体が垂直圧迫状態にあることを検知して垂直圧迫状態検知信号を出力する垂直圧迫状態検知手段と、
垂直圧迫状態検知信号が出力されている時に垂直圧迫状態であることを表示する垂直圧迫状態表示部と、
を備えている。
１つの態様では、扉体が水平圧迫解除状態であることも、垂直圧迫状態表示部が点灯するための条件である。
【０００８】
１つの態様では、前記手動操作部は、扉体の水平圧迫解除状態に対応する第１姿勢と、扉体の水平圧迫状態に対応する第２姿勢との間で可動であり、
手動操作部が第１の姿勢にあることを検知して水平圧迫解除信号を出力する水平圧迫解除状態検知手段と、
手動操作部が第２の姿勢にあることを検知して水平圧迫状態検知信号を出力する水平圧迫状態検知手段と、
を備えている。
【０００９】
１つの態様では、扉体の垂直圧迫状態及び水平圧迫状態が検知されている時に、垂直圧迫状態かつ水平圧迫状態であることを表示する圧迫状態表示部を備えている。
【００１０】
１つの態様では、扉体の水平圧迫解除状態が検知されている時に、前記電動操作部から入力信号を有効とし、
扉体の水平圧迫解除状態が検知されていない時に、前記電動操作部から入力信号を無効とする。
【００１１】
１つの態様では、前記扉体は、建物開口部の両端に設けた左右のガイド枠に案内されるシャッターカーテンであり、
前記手動操作部は、左右のガイド枠の各ガイド枠に夫々少なくとも１つ設けてあり、
全ての手動操作部に対応する水平圧迫状態検知信号が出力された時に、扉体が水平圧迫状態であると判定し、
全ての手動操作部に対応する水平圧迫解除信号が出力された時に、扉体が水平圧迫解除状態であると判定する。
左右のガイド枠にそれぞれ手動操作部を設け、両方の手動操作部からの圧迫操作、圧迫解除操作が完了した時点で、両方からの水平圧迫状態検知信号、水平圧迫解除信号の生成に基づいて所定の表示部（圧迫状態表示部、垂直圧迫状態表示部）を点灯することで、左右の圧迫動作、圧迫解除動作が、確実に完了したことを確認できる。
【００１２】
１つの態様では、前記垂直圧迫状態表示部は、扉体が垂直圧迫状態かつ水平圧迫解除状態の時に点灯し、
前記圧迫状態表示部は、扉体が垂直圧迫状態かつ水平圧迫状態の時に点灯し、
扉体が垂直圧迫解除状態かつ水平圧迫解除状態の時に点灯する圧迫解除状態表示部を備えている。
【００１３】
１つの状態では、前記電動操作部は、圧迫信号入力部と圧迫解除信号入力部を備え、
扉体が垂直圧迫解除状態かつ水平圧迫解除状態の時に、電動操作部の圧迫信号入力部から圧迫信号が入力されると、点灯中の圧迫解除状態表示部が消灯し、
扉体の垂直圧迫が完了して扉体が垂直圧迫状態かつ水平圧迫解除状態となると、消灯中の垂直圧迫状態表示部が点灯し、
手動操作部からの水平圧迫操作によって、点灯中の垂直圧迫状態表示部が消灯し、
扉体の水平圧迫が完了して扉体が垂直圧迫状態かつ水平圧迫状態となると、消灯中の圧迫状態表示部が点灯し、
手動操作部からの水平圧迫解除操作によって、点灯中の圧迫状態表示部が消灯し、
扉体の水平圧迫が解除されて扉体が垂直圧迫状態かつ水平圧迫解除状態となると、消灯中の垂直圧迫状態表示部が点灯し、
電動操作部の圧迫解除信号入力部から圧迫解除信号が入力されると、点灯中の垂直圧迫状態表示部が消灯し、
扉体の垂直圧迫が解除されて扉体が垂直圧迫解除状態かつ水平圧迫解除状態となると、消灯中の圧迫解除状態表示部が点灯する。
圧迫信号入力部が前記圧迫状態表示部を兼用してもよい。
圧迫解除信号入力部が前記圧迫解除状態表示部を兼用してもよい。
【００１４】
１つの態様では、前記扉体は複数枚のパネルからなるシャッターカーテンである。後述する実施形態では防水扉はパネルシャッターから構成されているが、本発明に係る防水扉は、垂直圧迫及び水平圧迫によって止水状態を形成することができるものであればパネルシャッターに限定されるものではなく、他の扉体、例えば、スラットシャッターや他のドア装置でもよい。
【発明の効果】
【００１５】
本発明では、扉体を垂直方向に圧迫して垂直圧迫状態とする第１圧迫機構を電動操作部によって作動し、垂直圧迫状態にある扉体を水平方向に圧迫して水平圧迫状態とする第２圧迫機構を手動操作部によって作動することで、扉装置の納まり上、電動の第２圧迫機構が取り付けられない場所でも、電動と手動を組み合わせた圧迫動作によって防水構造を得ることができる。扉体の水平圧迫作動を手動式とすることで、外付仕様のパネルシャッターにおいて、第２圧迫機構によって、シャッターカーテンを室外側から室内側に水平に圧迫させたい場合であっても、シャッターパネルの昇降経路と干渉することなく駆動部（手動操作部）を設けることができ、第２圧迫機構を取り付けることができる。
【００１６】
扉体が垂直圧迫状態にあることを検知し、垂直圧迫状態であることを表示する垂直圧迫状態表示部を設けることで、操作者は、垂直圧迫が完了しているか否かを確認することで、手動操作部からの水平圧迫操作のタイミングがわかる。
【００１７】
扉体の水平圧迫解除状態が検知されている時に、前記電動操作部から入力信号を有効とし、扉体の水平圧迫解除状態が検知されていない時に、前記電動操作部から入力信号を無効とすることで、水平圧迫が解除された状態を検知している時に、垂直圧迫の設定及び解除が可能となる。したがって、水平圧迫が解除されていない状態では垂直圧迫及び垂直圧迫解除が作動しないので、扉装置の損傷を防ぐことができる。
【００１８】
垂直圧迫状態表示部は、扉体が垂直圧迫状態かつ水平圧迫解除状態の時に点灯し、圧迫状態表示部は、扉体が垂直圧迫状態かつ水平圧迫状態の時に点灯し、圧迫解除状態表示部は、扉体が垂直圧迫解除状態かつ水平圧迫解除状態の時に点灯することで、表示部の点灯（消灯）によって、扉体の圧迫状態を確認することができる。
【図面の簡単な説明】
【００１９】
【図１】本実施形態に係る防水シャッターを室外側から見た概略正面図である。
【図２】本実施形態に係る防水シャッターの概略縦断面図であり、左側が室内側、右側が室外側である。
【図３】本実施形態に係る防水シャッターの概略部分横断面図であり、上側が室外側、下側が室内側である。
【図４】複数枚のパネルを上下方向に連設してなるシャッターカーテンの側面図であり、（Ａ）は垂直圧迫状態、（Ｂ）は全閉状態、（Ｃ）は下降状態（最下端のパネルが着床する直前）を示す。
【図５】第１圧迫機構を示し、上図は平面図、下図は、正面図である。
【図６】第１圧迫機構の側面図であり、第１圧迫機構のパワーシリンダは非作動時（垂直圧迫解除姿勢）にある。
【図７】第１圧迫機構の側面図であり、第１圧迫機構のパワーシリンダは作動時（垂直圧迫姿勢）にある。
【図８】第１の姿勢（水平圧迫解除姿勢）にある第２圧迫機構を示す図である。
【図９】第２の姿勢（水平圧迫姿勢）にある第２圧迫機構を示す図である。
【図１０】第２圧迫機構を構成する水平方向押圧部材と、水平方向押圧部材に連結された手動操作部の第１要素及び第２要素を示す図である。
【図１１】図１０の横断面図であり、（Ａ）はガイド枠と水平方向押圧部材のみを示し、（Ｂ）は水平方向押圧部材に連結された第２要素を示し、（Ｃ）は水平方向押圧部材に連結された第１要素を示す。
【図１２】（Ａ）は水平方向押圧部材の部分側面図であり、左図は圧迫姿勢の水平方向押圧部材、右図は圧迫解除姿勢の水平方向押圧部材を示し、（Ｂ）は、ガイド枠の横断面図であり、左図では水平方向押圧部材は圧迫姿勢にあり、右図では水平方向押圧部材は圧迫解除姿勢にある。
【図１３】水平方向押圧部材の拡大平面図である。
【図１４】図１の右側のガイド枠（縦枠を取り外した状態）の一部省略部分拡大図であり、ガイド枠の室外側見付壁の外面に露出する手動操作部の要素（手動操作レバーは省略されている）が示してある。
【図１５】図１の左側のガイド枠の部分拡大図である。
【図１６】ガイド枠の室外側部位を覆う縦枠を示す図である。
【図１７】本実施形態に係る防水シャッターを室内側から見た概略正面図である。
【図１８】本実施形態に係る防水シャッターの縦断面図であり、左図では中柱は収納姿勢にあり、右図では中柱は設置姿勢にある。
【図１９】中柱を示す図である。
【図２０】各種操作スイッチ及びランプが搭載された操作パネルの正面図である。
【図２１】防水扉の圧迫動作、圧迫解除動作を示すブロック図である。
【図２２】防水扉の圧迫動作、圧迫解除動作を示すフロー図であり、圧迫解除スイッチ無効化及び圧迫解除スイッチ無効化状態の解除の流れを含んでいる。
【発明を実施するための形態】
【００２０】
［Ａ］防水パネルシャッターの全体構成
図１、図２に示すように、防水用のパネルシャッターは、複数枚のパネル１から構成されたシャッターカーテンと、建物開口部の幅方向両端に立設され、垂直姿勢のパネル１の幅方向両端部を案内する左右のガイド枠２と、を備えている。図２において、パネル１、すなわちシャッターカーテンの左側が室内側、右側が室外側である。
【００２１】
パネル１は、所定厚みを備え、開口幅方向に延びる横長方形状の要素であり、正面視横長方形状の面部と、上面部と、下面部と、左右の側面部と、を有している。開口部全閉状態では、一方の面部が室外側に面する室外側面部１００であり、他方の面部が室内側に面する室内側面部１０１となっている。図３（パネル１の幅方向の一方の端部を示し、他方の端部も同様の構成を有する）に示すように、各パネル１の幅方向両端の側面部には、ガイドローラ１１を設けた支軸１０が突設されており、各パネル１は支軸１０を介してチェーン３に連結されて吊持されることでシャッターカーテンを形成する。パネルシャッターにおいて、各パネルをチェーン３によって吊持する構成は当業者に良く知られているので、詳細な説明は省略する。また、パネルシャッターについては、幾つも変形例、改良例が当業者に知られており、本発明に係る防水シャッターに適用され得るパネルシャッターの構成は、図示の態様に限定されるものではないことに留意されたい。
【００２２】
図３に示すように、ガイド枠２は、離間対向する室外側見付壁２０及び室内側見付壁２１と、見込方向に延びる底壁２２と、から断面視コ字状に形成され、開口全高に延びる長尺部材であり、室外側見付壁２０と室内側見付壁２１の先端側は互いに対向するように前辺２００、２１０が折曲形成されている。前辺２００は、室外側見付壁２０の先端から室内側へ向かって室外側見付壁２０に対して垂直に延びており、前辺２１０は、室内側見付壁２１の先端から室外側へ向かって室内側見付壁２１に対して垂直に延びている。そして、前辺２００、２１０の先端間の開口溝にパネル１の幅方向端部を受け入れるようになっている。室外側辺２０と室内側辺２１の先端側の前辺２００、２１０の外面には、それぞれ高さ方向に延びる長尺状の弾性ゴムからなる一対の弾性要素２６が設けてあり、パネル１の昇降時及び全閉時に、パネル１の室外側面部１００、室内側面部１０１に接触するようになっている。
【００２３】
ガイド枠２の上端は、開口部上方の収納空間内まで延びており、パネル１の幅方向両端部のガイドローラ１１を案内する上側延出部２´を備えている。上側延出部２´は、ガイドローラ１１に室外側及び室内側の両側から接触可能に構成されている。開口部上方の収納空間には、上側延出部２´の略上端に位置してチェーン３を巻き掛けするためのスプロケット４が設けあり、開閉機Ｍによってスプロケット４を回転させて、チェーン３を吊上げ、あるいは、繰り出すことで、パネル１を上昇、あるいは、下降させて建物開口部を開閉するようになっている。
【００２４】
開口部上方のパネル１の収納空間Ｓは開口部上方から室外側に向かって延びており、当該収納空間Ｓには、前方（シャッター芯Ｃから室外側）に向かって緩やかに下向き傾斜状に延出する収納レール５が設けある。チェーン３の吊上げによって、収納空間Ｓ内まで移動したパネル１は、スプロケット４を介して収納レール５に継送され、パネル１はガイドローラ１１が収納レール５に案内されながら収納空間Ｓの後方へ順次送られて、互いに平行状に垂下した状態に保持され収納される。
【００２５】
このように構成されたパネルシャッターにおいて、開口部全閉状態において、開閉機Ｍによりスプロケット４をチェーン吊上げ方向に回転駆動すると、全閉状態の垂直姿勢にある各パネル１は、チェーン３の上昇にしたがって、幅方向両端部が垂直状のガイド枠２に案内されながら、上昇していき、上位のパネル１から、ガイド枠２の上側延出部２´から横方向に延びる収納レール５に順次受け渡され、収納空間で平行状に収納されていき、開口部が開放される。
【００２６】
開口部全開状態において、開閉機Ｍによりスプロケッ４をチェーン繰り出し方向に回転駆動すると、平行状に収納されていたパネル１は幅方向両端部のガイドローラ１１が収納レール５に案内されながら順次収納空間の後方から前方のスプロケット４側へ引き出され、スプロケット４を通過する時に、高さ方向に互いに上下に垂直姿勢となってガイド枠２に案内されながら降下していき、開口部が閉鎖される。図２に示すように、建物開口部の下方部位には、床面から所定高さに位置して障害物検知手段として例示する光電センサＰＳが設けてある。
【００２７】
シャッターカーテン降下時には、上下に隣接する２枚の任意のパネル１において、下側のパネルの上端と上側のパネルの下端とは離間した状態にある（図４（Ｃ）参照）。シャッターカーテン降下時に、最下位のパネル１の下端が着床した後に、シャッターカーテンがさらに所定距離下降を継続することで、上下に隣接する２枚の任意のパネル１において、下側のパネルの上端と上側のパネルの下端とが接触して全閉状態となる（図４（Ｂ）参照）。さらに、全閉状態にあるシャッターカーテンを垂直方向に圧迫することで垂直圧迫状態となる（図４（Ａ）参照）。
【００２８】
全閉状態のパネルシャッターに対して止水構造を付与することで防水パネルシャッターを構成することができる。本実施形態では、全閉状態のパネルシャッターを止水状態とする手段は、全閉状態にある各パネル１を垂直方向に下方に圧迫する第１圧迫機構７と、第１圧迫機構７によって垂直方向に圧迫された全パネル１を一体で室内側へ向かって水平方向に圧迫する第２圧迫機構とからなる。本実施形態では、第１圧迫機構７は開口部上方に位置しているが、第２圧迫機構は開口部上方には位置していない。
【００２９】
本実施形態では、第１圧迫機構７は、開口部上方の収納空間におけるパネル１の昇降を妨げないように、パネル１の昇降経路（シャッター芯Ｃ）に対して室内側に偏倚して設けてある。本実施形態では、第２圧迫機構は、ガイド枠２に設けられた手動操作部８と、手動操作部８の操作に連動して圧迫姿勢と圧迫解除姿勢をとる水平方向押圧部材２３と、を備えている。
【００３０】
最上位のパネル１を除く各パネル１の上面部には、幅方向全体に亘って水密ゴム１２（図２、図４、図１８参照）が設けてある。開口部全閉時において、上下隣接する２枚のパネル１の上側パネル１の下端と下側パネル１の上端とを水密ゴム１２を介して圧接させることで、上下隣接するパネル間の止水構造が得られるようになっている。最下位のパネル１の下端には、幅方向全体に亘って水密ゴム１３が設けてあり、開口部全閉時において、水密ゴム１３が床面ＦＬに圧接されることでシャッターカーテン下端の止水構造が得られるようになっている。すなわち、第１圧迫機構７を用いて、全閉状態のシャッターカーテンを上端から床面ＦＬに向かって垂直に圧迫することで上下に隣接するパネル１間及び最下位のパネル１と床面ＦＬ間の止水状態が得られる。
【００３１】
なお、上下隣接する２枚のパネル１間の止水構造を形成する水密ゴムは、パネル１の上端に設けられるものに限定されるものではなく、パネル１の下端あるいは／および上端に幅方向全体に亘って水密ゴムが設けられ、開口部全閉時において、上下隣接する２枚のパネル１の上側パネル１の下端と下側パネル１の上端とを水密ゴムを介して圧接させることで、上下隣接するパネル間の止水構造が得られるようになっていればよい。
【００３２】
シャッターカーテンの垂直圧迫状態において、水密ゴム１２が上下隣接するパネル１間を水密状態に閉塞し、水密ゴム１３が最下端のパネル１の下端と床面との間の水密状態に閉塞する。第２圧迫機構によって、垂直圧迫状態にあるシャッターカーテンがさらに水平方向に圧迫されて、水平圧迫状態となると、パネル１の室内側面部１０１が水密ゴム部材２４に圧接されて、開口幅方向両端部を水密状態に閉塞する。このようにシャッターカーテンが圧迫状態（垂直圧迫状態兼水平圧迫状態）となると、上下のパネル間が水密状に閉塞されると共に、シャッター装置の三方（左右のガイド枠２内に位置するシャッターカーテンの幅方向両端部及びシャッターカーテン下端）の水密ゴム１３、２４によって室内側空間への浸水を防ぐ止水ラインが形成される。
【００３３】
［Ｂ］第１圧迫機構
本実施形態に係る第１圧迫機構７の構成について詳細に説明する。図２に示すように、開口部上方の収納空間には、パネル１の昇降経路（シャッター芯Ｃ）に対して室内側に偏倚して、第１圧迫機構７が開口幅方向に間隔を存して設けてある。図５〜図７に示すように、第１圧迫機構７は、開口部上方の収納空間に配置したアクチュエータとして例示するパワーシリンダ７０と、パワーシリンダ７０のピストンロッド７１の先端に設けられ、全閉状態の最上位のパネル１の上端に当接して押圧する押圧部（リンク機構からなる）７２と、を備えている。開口部全閉状態において、ピストンロッド７１を下降させ、押圧部７２を最上位のパネル１の上端に当接させて下方に向かって押圧することで、全閉状態にある各パネルを下方に向かって垂直に圧迫する。
【００３４】
第１圧迫機構７（パワーシリンダ７０、ピストンロッド７１、押圧部７２）は、アクチュエータブラケット７５に固定されており、アクチュエータブラケット７５は、ベースフレーム７６に取り付けられている。図６、７に示すように、押圧部７２は、第１圧迫機構７のフレームに固定された水平状のベース７２０と、ベース７２０の基端側に一端が連結された第１リンク７２１と、ベース７２０の先端側に一端が連結された第２リンク７２２と、第１リンク７２１と第２リンク７２２の他端同士を連結する第３リンク７２３と、を備えている。ピストンロッド７１の先端は第３リンク７２３に連結されており、第３リンク７２３の下面が全閉状態の最上位のパネル１の上端に当接して押圧するようになっている。
【００３５】
第１圧迫機構７は、第１リミットスイッチ７３、第２リミットスイッチ７４を備えている。第１リミットスイッチ７３がＯＮ（第２リミットスイッチ７４がＯＦＦ）の場合は垂直圧迫解除状態であり、第１リミットスイッチ７３がＯＦＦ、第２リミットスイッチ７４がＯＦＦの場合は垂直圧迫動作中あるいは垂直圧迫解除動作中であり、第２リミットスイッチ７４がＯＮ（第１リミットスイッチ７３がＯＦＦ）の場合は垂直圧迫状態であることが検知される。第１リミットスイッチ７３は垂直圧迫解除状態（圧迫が完全に解除されている状態）を検知する手段であり、第２リミットスイッチ７４は垂直圧迫状態検知手段である。
【００３６】
［Ｃ］第２圧迫機構
本実施形態に係る第２圧迫機構は、左右の各ガイド枠２にそれぞれ設けられた手動操作部８と水平方向押圧部材２３からなる。
【００３７】
［Ｃ−１］水平方向押圧部材
ガイド枠２の室外側見付壁２０の先端側の内面、かつ、前辺２００の内面に位置して、断面視長方形状を備え、高さ方向に延びる長尺部材である水平方向押圧部材２３が設けてある。ガイド枠２内には、室内側見付壁２１の先端側の内面、かつ、前片２１０の内面に位置して、高さ方向に延びる長尺部材である水密ゴム部材２４が設けてある。底壁２２には高さ方向に延びる長尺部材であって、ガイドローラ１１の室外側周面に接触して案内するガイド部材２５が設けてある。
【００３８】
水平方向押圧部材２３は、平面視において、前辺２００に沿って室内外方向に延びており、押圧面（圧迫時に、パネル１の室外側面部１００に当接する部位）２３１０は、常時（圧迫時及び圧迫解除時）、前辺２００の先端を越えて突出している。なお、圧迫解除時には、水平方向押圧部材２３の押圧面２３１０が前辺２００の内側に位置し（先端を越えない）、圧迫時に、水平方向押圧部材２３の押圧面２３１０が前辺２００の先端を越えて突出するようにしてもよい。水密ゴム部材２４の先端面は、前辺２１０の先端を越えて突出している。
【００３９】
各パネル１の幅方向端部は、室外側（ガイド枠２の室外側見付壁２０に近い側）の水平方向押圧部材２３と、室内側（ガイド枠２の室内側見付壁２１に近い側）の水密ゴム部材２４と、の間の開口に受け入れられており、幅方向端部から突出する支軸１０の先端のガイドローラ１１の室外側周面は、ガイド枠２の底部側に設けたガイド部材２５に接触ないし近接している。チェーン３を上下動させることで、各パネル１は、室外側面部１００、室内側面部１０１がそれぞれ弾性要素２６と接触しながら、幅方向両端の支軸１０のガイドローラ１１の室外側周面がガイド部材２５に、幅方向両端が水密ゴム部材２４に、それぞれ案内されて、垂直方向に上下動する。ガイドローラ１１の室外側周面がガイド部材２５に接触することによって、通常開閉時及び通常の全閉状態において、金属製の水平方向押圧部材２３とパネル１の幅方向端部との接触が規制されている。
【００４０】
水平方向押圧部材２３と水密ゴム部材２４との間にパネル１の幅方向端部が位置しており、また、ガイドローラ１１の室内側周面はフリー（部材によって案内されない）であり、パネル１が室内側へ移動することに応じてガイドローラ１１も室内側へ移動可能となっており、水平方向押圧部材２３によってパネル１の幅方向端部を室内側へ押圧することで、パネル１の室内側面部の幅方向端部が全高に亘って水密ゴム部材２４に圧接され、シャッターカーテン幅方向両端部の高さ方向に亘る止水構造が得られる。
【００４１】
図１２（Ｂ）において、左図（水平圧迫状態）では、水平方向押圧部材２３がパネル１の室外側面部１００に押圧接触しており、パネル１の室内側面部１０１が水密ゴム部材２４に圧接されており、右図（水平圧迫解除状態）では、水平方向押圧部材２３とパネル１の室外側面部１００、パネル１の室内側面部１０１と水密ゴム部材２４は、それぞれ近接しているものの押圧状態にはない。このように、ガイド枠２の内部に、ガイドローラ１１に室外側からのみ接触可能なガイド部材２５を設けたことで、第２圧迫機構の圧迫動作によるパネル１の室内側面部１０１と水密ゴム部材２４との圧接を許容する一方、ガイドローラ１１がガイド部材２５に接触することで、パネル１の昇降時に水平方向押圧部材２３とパネル１の室外側面部１００が接触することが規制されている。
【００４２】
本実施形態に係る水平方向押圧部材２３の構成についてさらに詳細に説明する。水平方向押圧部材２３は、ガイド枠２に沿って垂直に延びる断面視コ字状で長尺状の第１部材（室外側部材）２３０と、ガイド枠２に沿って垂直に延びる断面視コ字状で長尺状の第２部材（室内側部材）２３１と、を備えている。第１部材２３０の見付面２３００はガイド枠２の室外側見付壁２０に螺子（図示せず）で連結されており、第１部材２３０が固定要素、第２部材２３１が可動要素となっている。第２部材２３１の見付面は、垂直状の押圧面２３１０となっており、圧迫時には、押圧面２３１０がパネル１の室外側面部１００に当接して室内側へ向かって押圧する。第２部材２３１は、以下に述べるリンク機構、手動操作部８を介して第１部材２３０に対して水平方向に離間・接近するようになっている。
【００４３】
リンク機構は、第１リンク２３２と、第２リンク２３３と、を備え、第１リンク２３２と第２リンク２３３の角度を変えることによって、第１部材２３０に対して第２部材２３１が水平方向に離間・接近するようになっている。第１部材２３０には、高さ方向に所定間隔で第１リンク２３２の第１端部が第１軸２３２０を介して回転自在に連結されており、第２部材２３１には、高さ方向に所定間隔で第２リンク２３３の第１端部が第２軸２３３０を介して回転自在に連結されており、第１リンク２３２の第２端部と第２リンク２３３の第２端部は、第３軸２３４０を介して回転自在に連結されている。
【００４４】
図１３に示すように第１リンク２３２、第２リンク２３３は共にブロック状のリンクブロックである。第１リンク２３２の第１端部には、ブロックを貫設するように第１軸２３２０が設けてあり、第２リンク２３３の第１端部には、ブロックを貫設するように第２軸２３３０が設けてある。第１リンク２３２の第２端部は離間対向する一対の片からなり、当該一対の片の間に、第２リンク２３３の第２端部を回転可能な状態で挟持している。第２リンク２３３の第２端部は離間対向する一対の片からなり、当該一対の片の間に作動ロッド２３４を挟持しており、作動ロッド２３４に対する第２リンク２３３の第２端部の回転は許容されている。第２軸２３３０にはガイドローラ２３３１が設けてあり、第２軸２３３０はガイドローラ２３３１が水平溝２３６０に案内されて水平方向に往復動するようになっている。
【００４５】
作動ロッド２３４は、ガイド枠２に沿って垂直に延びる長尺状の部材であり、作動ロッド２３４には、高さ方向に所定間隔で第３軸２３４０が設けてあり、第３軸２３４０において、第１リンク２３２、第２リンク２３３が連結されている。作動ロッド２３４には、さらに、手動操作部８の連結機構が連結されており、手動操作レバー８０の操作に連動して連結機構を介して作動ロッド２３４が引き上げられるように構成されている。
【００４６】
第１部材２３０には、リンク機構に対応するように、高さ方向に所定間隔で一対のガイド２３５が設けてあり、ガイド２３５に形成されたガイド溝２３６によって、第２軸２３３０、第３軸２３４０が案内されるようになっている。すなわち、作動ロッド２３４の上動に連動して第２部材２３１が水平方向に移動して押圧面２３１０によってパネル１の室外側面部１００を押圧し、室内側面部１０１を水密ゴム部材２４に圧接するように構成されている。
【００４７】
［Ｃ−２］手動操作部
手動操作部８は、手動操作レバー８０と、手動操作レバー８０と水平方向押圧部材２３とを連動連結する連結機構とからなる。図８、図９に示すように、手動操作レバー８０は、ガイド枠２の室外側見付壁２０の外面（立姿状の操作者が操作し易い高さ位置）に設けられ、シャッターカーテンの水平圧迫解除状態に対応する第１姿勢と、シャッターカーテンの水平圧迫状態に対応する第２姿勢との間で上下に回動可能である。本実施形態では上側に回動した姿勢が第１姿勢であり、下側に回動した姿勢が第２姿勢である。手動操作レバー８０の回動方向や第１姿勢と第２姿勢の空間的位置関係は限定されない。手動操作レバー８０の回動は、連結機構を介して水平方向押圧部材２３に伝達される。
【００４８】
連結機構は、水平方向押圧部材２３の第１部材２３０に回動可能に連結された第１要素８１と第２要素８２を備え、第１要素８１及び第２要素８２の先端は水平方向押圧部材２３の作動ロッド２３４に連結されており、手動操作レバー８０が第１姿勢から第２姿勢へ回動することに連動して、第１要素８１及び第２要素８２が第１姿勢から第２姿勢へ回動して、水平方向押圧部材２３の作動ロッド２３４を第１姿勢から第２姿勢へ上動させる。そして、作動ロッド２３４の上動に連動して、水平方向に移動する第２部材２３１の押圧面２３１０がパネル１の室外側面部１００を押圧することで、シャッターカーテンを水平圧迫する。本実施形態では、第１要素８１は第２要素８２よりも下方に位置しており、第１要素８１は、手動操作レバー８０の下方に位置しており、第２要素８２は、天井ＣＬ付近に位置している。
【００４９】
図１０、図１１に示すように、第１要素８１、第２要素８２は、ガイド枠２の室外側見付壁２０に形成した開口を貫通しており、ガイド枠２の内部に位置する内方部位と、ガイド枠２の外部に位置する外方部位とを備える。第１要素８１及び第２要素８２の内方部位は、さらに、水平方向押圧部材２３の第１部材２３０の見付面２３００に形成した開口を貫通している。
【００５０】
第１要素８１は、内方部位において、水平方向押圧部材２３の第１部材２３０の第１の高さ位置に第１軸８１０を介して回動可能に連結され、作動ロッド２３４の第１の高さ位置に第２軸８１１を介して回動可能に連結されている。本実施形態では、第１要素８１は、正面視三角形状の２枚の外側プレート８１ａと、２枚のプレート８１ａ間に挟まれた中間プレート８１ｂとを備えているが、これには限定されない。
【００５１】
第２要素８２は、内方部位において、水平方向押圧部材２３の第１部材２３０の第２の高さ位置に第１軸８２０を介して回動可能に連結され、作動ロッド２３４の第２の高さ位置に第２軸８２１を介して回動可能に連結されている。本実施形態では、第２要素８２は、正面視三角形状の２枚の外側プレート８２ａと、２枚のプレート８２ａ間に挟まれた中間プレート８２ｂとを備えているが、これには限定されない。
【００５２】
連結機構は、さらに、ガイド枠２の室外側見付壁２０の外側に位置して、作動ロッド２３４に平行して垂直状に延び、下端が第３軸８１２を介して第１要素８１の外方部位に回転可能に連結され、上端が第３軸８２２を介して第２要素８２の外方部位に回転可能に連結された第３要素８３を備えている。第１要素８１の外方部位と第２要素８２の外方部位が第３要素８３によって連結されることで、第１要素８１と第２要素８２が同時に回動するようになっている。図１０に示すように、第１要素８１には、第３軸８１２を受け入れる孔８１２´が形成されており、第２要素８２には、第３軸８２２を受け入れる孔８２２´が形成されている。
【００５３】
第３要素８３は、上側の第１部分８３Ａと下側の第２部分８３Ｂとからなり、第１部分８３Ａは、一枚の長尺状のプレートからなり、第２部分８３Ｂは、２枚の平行状の長尺状のプレートからなる（図１４参照）。ガイド枠２の室外側見付壁２０には、箱状の取付台８７が突設されており、第３要素８３の第２部分８３Ｂの下方部位は取付台８７を高さ方向に上下動可能に挿通している。取付台８７には、手動操作レバー８０が第１軸８００を介して上下に回動可能に連結されている。取付台８７には、手動操作レバー８０が第２姿勢から第１姿勢まで回動した時に手動操作レバー８０の回動を規制するストッパー８８が設けてある。ストッパー８８を設けたことで、手動操作レバー８０の第１姿勢（圧迫解除位置）が決定され、手動操作レバー８０が必要以上に回動して、操作者が手を挟んだりすることを防止している。
【００５４】
連結機構は、さらに、手動操作レバー８０の回動を第１要素８１に伝達するための第４要素８４、第５要素８４´を備えている。第４要素８４の下端は第４軸８１３を介して第１要素８１に回転可能に連結されており、第４要素８４は、取付台８７に設けたガイド部８７０によって垂直姿勢で上下動可能に支持されている。第４要素８４の上端は第１軸８４０を介して、アーム状の第５要素８４´の下端に回転可能に連結されており、第５要素８４´の上端は、第２軸８０１を介して手動操作レバー８０が回転可能に連結されている。第４要素８４の下端は第４軸８１３を介して第１要素８１に回転可能に連結されており、手動操作レバー８０と第１要素８１は、第４要素８４を介して連動連結されている。図１０に示すように、第１要素８１には、第４軸８１３を受け入れる長孔８１３´が形成されている。
【００５５】
図８において、手動操作レバー８０及び連結機構は第１姿勢にある。具体的には、手動操作レバー８０は上側に回動した姿勢にあり、第５要素８４´、第４要素８４及び第３要素８３は上動姿勢にあり、第１要素８１及び第２要素８２は外方部位が上側に回動した姿勢にある。この姿勢から手動操作レバー８０を下方に回動させて第２姿勢とすると、第５要素８４´、第４要素８４及び第３要素８３は下動姿勢になり、第１要素８１及び第２要素８２は外方部位が下側に回動し、内方部位の先端が上側に回動した姿勢となり、作動ロッド２３４が上方に引き上げられる。作動ロッド２３４の上動に連動して、第２部材２３１が第１部材２３０から離れるようにパネル１に向かって押し出されてパネル１の幅方向端部の室外側面部１００に当接し、パネル１の室内側面部１０１が水密ゴム部材２４を圧迫することで、第１圧迫機構７によって垂直方向に圧迫された全パネル１を一体で室内側に向かって圧迫する。
【００５６】
図９において、手動操作レバー８０及び連結機構は第２姿勢にある。具体的には、手動操作レバー８０は下側に回動した姿勢にあり、第５要素８４´、第４要素８４及び第３要素８３は下動姿勢にあり、第１要素８１及び第２要素８２は外方部位が下側に回動した姿勢にある。この姿勢から手動操作レバー８０を上方に回動させて第１姿勢とすると、第５要素８４´、第４要素８４及び第３要素８３は上動姿勢になり、第１要素８１及び第２要素８２は外方部位が上側に回動し、内方部位の先端が下側に回動した姿勢となり、作動ロッド２３４が下方に引き下げられる。作動ロッド２３４の下動に連動して、第２部材２３１が第１部材２３０に向かい、パネル１の幅方向端部の室外側面部１００から離れるように移動し、パネル１の室内側面部１０１が水密ゴム部材２４から離れるように移動することで、第１圧迫機構７によって垂直方向に圧迫された全パネル１は水平圧迫解除状態となる。
【００５７】
連結機構は、手動操作レバー８０が第１姿勢にある時にシャッターカーテンの水平圧迫解除状態に対応する第１姿勢をとり、手動操作レバー８０が第２姿勢にある時にシャッターカーテンの水平圧迫状態に対応する第２姿勢をとる。第２圧迫機構は、連結機構（本実施形態では第２要素８２）が第１の姿勢にあることを検知して水平圧迫解除信号を出力する水平圧迫解除状態検知手段と、連結機構（本実施形態では第２要素８２）が第２の姿勢にあることを検知して水平圧迫状態検知信号を出力する水平圧迫状態検知手段を備えている。
【００５８】
図８、図９に示すように、第２圧迫機構は、水平圧迫解除状態検知手段としての第１リミットスイッチ８５と、水平圧迫状態検知手段としての第２リミットスイッチ８６を備えている。具体的には、第１リミットスイッチ８５がＯＮ（第２リミットスイッチ８６がＯＦＦ）の場合は水平圧迫解除状態であり、第１リミットスイッチ８５がＯＦＦ、第２リミットスイッチ８６がＯＦＦの場合は水平圧迫動作中あるいは水平圧迫解除動作中であり、第２リミットスイッチ８６がＯＮ（第１リミットスイッチ８５がＯＦＦ）の場合は水平圧迫状態であることが検知される。
【００５９】
より具体的には、本実施形態では、天井ＣＬの近くに位置する第２要素８２の近傍（ガイド枠２の室外側見付壁２０の外側）に第１リミットスイッチ８５及び第２リミットスイッチ８６が設けてある。第２要素８２の外方部位には、２枚の外側プレート８２ａのそれぞれから各プレートに対して垂直状に突出する第１当接部８２３と第２当接部８２４が形成されており、第１当接部８２３と第２当接部８２４は反対方向に突出している（図１０（Ｂ）参照）。第１リミットスイッチ８５と第１当接部８２３から水平圧迫解除状態検知手段が構成されており、第２要素８２が第１姿勢にある時に、第２要素８２の第１当接部８２３が第１リミットスイッチ８５の第１被当接部８５０に当接することで水平圧迫解除信号を出力する。第２リミットスイッチ８６と第２当接部８２４から水平圧迫状態検知手段が構成されており、第２要素８２が第２姿勢にある時に、第２要素８２の第２当接部８２４が第２リミットスイッチ８６の第２被当接部８６０に当接することで水平圧迫状態検知信号を出力する。
【００６０】
本実施形態に係る連結機構は、第１要素８１、第２要素８２、第３要素８３、第４要素８４、第５要素８４´から構成されており、１つの手動操作レバー８０の回動操作によって、シャッターカーテンの幅方向端部を高さ方向に亘って水平方向に圧迫することができる。手動操作レバー８０の動きを水平方向押圧部材２３に伝達するための連結機構の具体的な構成は、図示の態様に限定されるものではない。
【００６１】
図１〜図３、図１５に示すように、左右のガイド枠２の室外側部位全体を覆うように、開口部全高に亘って縦枠６が設けてある。図１では、左側の縦枠６のみを示し、右側の縦枠６は省略している。縦枠６は、ガイド枠２の室外側見付壁２０及び室外側見付壁２０の外面に露出する手動操作部８の要素（手動操作レバー８０、第１要素８１、第２要素８２、第３要素８３、取付台８７、ストッパー８８、）を覆って隠蔽するようになっている。
【００６２】
図３、図１６に示すように、縦枠６は、室外側見付壁２０よりも幅広で、室外側見付壁２０に対して離間対向して延びる見付面６０と、見付面６０の端部（躯体から遠い側）からパネル昇降経路に向かって延びる見込面６１と、見込面６１の端部から見付面６０に対して対向して見付方向に延びる見付面６２、見付面６２の先端からパネル昇降経路に向かって見込方向に延びる見込面６３、見込面６３の先端から見付方向に延びる見付面６４、見付面６４の先端から見込方向に延びる見込面６５を備えており、見付面６０がガイド枠２の室外側見付壁２０を覆い、見込面６１、見付面６２、見込面６３がガイド枠２の室外側見付壁２０の外面に露出する要素を側面から覆い、見付面６４、見込面６５がガイド枠２の室外側の前辺２００を覆っている。縦枠６がガイド枠２の室外側部位全体を覆うことで、すっきりとした外観となっている。図示の縦枠６の形状は例示であって、具体的な形状は現場の納まり等に応じて当業者によって適宜選択し得るものである。
【００６３】
図１５、図１６に示すように、縦枠６の見付面６０には、高さ方向に離間して２つのカバー６６、６７が開閉可能に設けてある。上側のカバー６６は、手動操作部８の第２要素８２及び第１リミットスイッチ８５、第２リミットスイッチ８６に対応しており、カバー６６を開放することで、検知手段のメンテナンスを行うことができる。下側のカバー６７は、手動操作部８の手動操作レバー８０に対応しており、カバー６７を開放することで、手動操作レバー８０の回動操作が可能となっている。カバー６６、６７は共に、キーの差し込み回動操作によって開閉可能となっているので、手動操作部８に対するいたずらを防止することができ防犯性も良好である。
【００６４】
［Ｄ］中柱
図１、図１７等に示すように、本実施形態では、防水シャッターは可動の中柱９を備えている。中柱９は、止水状態にあるシャッターカーテンを室内側から支持する補強中柱であって、全閉状態にあるパネル１の室内側に位置して、パネル１の室内側面部１０１に近接対向して設置される。全閉姿勢にあるシャッターカーテンを挟んで、室外側に第２圧迫機構の水平方向押圧部材２３が配置されており、室内側に中柱９が設置されている。本実施形態に係る防水シャッターは、３本の中柱９を備えているが、中柱９の本数は限定されず、パネル１の幅寸法（開口幅寸法）等に応じて適宜数が選択される。なお、中柱９には左右勝手違いのものがある点に留意されたい（図１８、図１９参照）。
【００６５】
中柱９は、開口部上方に位置して開口幅方向に延びるハンガーレール９０に沿って収納位置と設置位置との間で移動可能となっている。ハンガーレール９０は、水平状かつ開口幅方向に延びる長尺部材であり、開口部の全幅に亘って延びており、長さ方向の端部は、少なくとも、中柱９の収納位置（開口部の幅方向端部でガイド枠２の室内側見付壁２１の室内側の位置）に対応する位置まで延びている。中柱９の上端にはハンガーローラ９１が設けてあり、中柱９はハンガーローラ９１がハンガーレール９０に沿って移動することで、収納姿勢（ガイド枠２の室内側で開口部を塞がない位置である）と設置姿勢（全閉状態にあるパネル１の室内側面部１０１に対向する）との間で移動可能となっている。
【００６６】
１つの態様では、中柱９の設置は、全閉姿勢にあるシャッターカーテンを止水状態（垂直方向圧迫及び水平方向圧迫）とした後に、中柱９を収納位置から設置位置に移動させて、シャッターカーテンの室内側面部に近接対向させて設置する。なお、本実施形態では、設置位置にある中柱９と全閉姿勢（水平圧迫解除状態及び水平圧迫状態）にあるシャッターカーテンの室内側面部との間には隙間が形成されており、設置姿勢の中柱９は、シャッターカーテンの降下、全閉姿勢にあるシャッターカーテンの垂直方向圧迫動作及び水平方向圧迫動作の妨げとはならないので、中柱９の設置のタイミングは特に限定されない。
【００６７】
中柱９は、断面視長方形状を有し、開口高に略相当する高さを備えた長尺部材であり、図１９に示すように、上端面９６、下端面９７、及び、４つの側面（第１面９００、第２面９０１、第３面９０２、第４面９０３）、を備えている。断面視において、対向する第１面９００、第２面９０１が短辺であり、対向する第３面９０２、第４面９０３が長辺である。
【００６８】
中柱９には、上側係止ロッド９２が、中柱９の上端面９６に対して上方に突出可能に設けてある。中柱９には、下側係止ロッド９３、９４が、中柱９の下端面９７に対して下方に突出可能に設けてある。中柱９には操作レバー９５が設けてあり、操作レバー９５は、リンク機構（図示せず）を介して、１本の上側係止ロッド９２、２本の下側係止ロッド９３、９４に連結されている。操作レバー９５は、移動時には第１の位置にあり、この時、上側係止ロッド９２、下側係止ロッド９３、９４は非突出姿勢にある。設置位置（図１８右図）あるいは収納位置（図１８左図）まで移動した中柱９において、操作レバー９５を第２の位置へと回動操作すると、リンク機構を介して、上側係止ロッド９２が上方に突出して開口部上方の受部材の係止受孔９２０、９２０´に係止し、下側係止ロッド９３、９４が下方に突出して、それぞれ、床面に埋設した受部材ユニット９９、９９´の係止受孔９３０、９４０、９３０´、９４０´に係止する。１つのレバーの回動操作で、上方かつ下方にロッドを突出させるようなリンク機構は当業者に良く知られているので、詳細な説明は省略する。
【００６９】
図１９に示すように、中柱９の吊持位置、すなわち、吊持軸９１０は、第２面９０１に寄った位置にある。設置姿勢を示す図１８右図と収納姿勢を示す図１８左図を対比すれば明らかなように、設置姿勢では、中柱９の第１面９００がパネル１の室内側面部１０１に近接しており、収納姿勢では、中柱９は吊持軸９１０を中心に１８０度回転した姿勢にあり、中柱９の第２面９０１が室外側に向かって対向するようになっている。
【００７０】
中柱９の収納時、移動時においては、中柱９の第２面９０１をパネル１の室内側面部１０１に近い側、中柱９の第１面９００をパネル１の室内側面部１０１から遠い側とすることで、中柱９の第２面９０１とパネル１の室内側面部１０１との間に十分な間隔が形成され、中柱９とパネル１の接触が防止され、中柱９のスムーズな移動を可能とする。
【００７１】
中柱９の設置姿勢では、設置位置まで移動した中柱９を、吊持軸９１０を中心に、軸回りに回転させて、中柱９の第１面９００をパネル１の室内側面部１０１に近い側、中柱９の第２面９０１をパネル１の室内側面部１０１から遠い側とすることで、中柱９の第１面９００をパネル１の室内側面部１０１に近接対向させる。こうすることで、垂直方向及び水平方向に圧迫されて止水状態にあるシャッターカーテンに室外側から水圧が作用した場合には、シャッターカーテンの室内側面部（パネル１の室内側面部１０１）が中柱９の第１面９００に当接し、中柱９は、止水状態にあるパネル１と協働して、止水状態にあるパネル１に作用するであろう水圧に良好に対抗する。
【００７２】
図１９に示すように、中柱９の上端面９６には、第１面９００側に位置してガイド体９８が突設されている。ガイド体９８は、側面視（図１９の右図）において上端が第１面９００から第２面９０１側に離間しており、下端が第１面９００の上端に一致する傾斜状のガイド面９８０を備えている。中柱９の第１面９００は、中柱９の設置時にパネル１の室内側面部１０１に近接する面であり、そのような第１面９００の上端に傾斜状のガイド面９８０が形成されている。中柱９を先に設置してからシャッターカーテンを降下させる場合があるが、この時、建物開口部を通過する風圧等によりシャッターカーテンが前後に揺れたり変位したりした場合であっても、パネル１の下端がガイド体９８のガイド面９８０に当接して第１面９００に案内されることから、中柱９の上端面９６にパネル１の下端が引っ掛かり、動作不具合が生じるようなことを防止している。
【００７３】
［Ｅ］防水扉の動作制御装置
本実施形態に係る電動防水扉は、いわゆる管理用のパネルシャッターとして用いられるものであり、建物開口部の通常の開閉にも用いられ、豪雨が予想される非常時等には、防水扉として機能する。以下に述べるように、防水扉の開閉制御は、操作スイッチからの入力によって行われる。
【００７４】
図２に示すように、本実施形態に係る防止扉は、第１室外側スイッチボックスＳＢ１、第２室外側スイッチボックスＳＢ２、室内側スイッチボックスＳＢ３、すなわち３つの操作スイッチ、を備えている。第１室外側スイッチボックスＳＢ１、室内側スイッチボックスＳＢ３は、立った姿勢で操作し易いように、床面から１５００ｍｍの高さに位置して配置されている。第２室外側スイッチボックスＳＢ２は、床面から２５００ｍｍ（想定最大水位Ｗ．Ｌ．）を越える高さに位置して配置されている。防水扉はその用途からして、シャッターカーテンによって仕切られた室外側部位に水が溜まることを前提としている。床面から２５００ｍｍを想定最大水位とした場合には、第１室外側スイッチボックスＳＢ１は、止水時に水没ないし浸水する可能性がある。本実施形態では、第１室外側スイッチボックスＳＢ１は、通常のスイッチボックスと同様であり、特段防水処理を施してはいない。なお、本実施形態において、第１室外側スイッチボックスＳＢ１と室外側の光電センサＰＳは水没ないし浸水するおそれがあるため、第１室外側スイッチボックスＳＢ１及び室内外側の光電センサＰＳの電源系統を、他の要素（第２室外側スイッチボックスＳＢ２、室内側スイッチボックスＳＢ３）の電源系統から分離することで、他の電気系統へ影響を及ぼさないようにしている。具体的な態様例では、防水扉には主電源としてＡＣ２００Ｖが供給され、開閉機のモータはＡＣ２００Ｖを用いて作動する。主電源は少なくとも２つのレギュレータを介して第１電源系統（ＤＣ２４Ｖ）、第２電源系統（ＤＣ２４Ｖ）に変換され、第１室外側スイッチボックスＳＢ１及び室内外側の光電センサＰＳは第１電源系統によって作動し、第２室外側スイッチボックスＳＢ２、室内側スイッチボックスＳＢ３は第２電源系統によって作動する。水没等によって第１電源系統に不具合が生じても、第２電源系統及び主電源に影響を及ぼさないようになっている。
【００７５】
スイッチボックスＳＢ１〜ＳＢ３は、正面が開口状の箱体１４と、箱体１４の正面の開口を開閉する蓋体１５と、箱体１４に設けた操作パネル１６と、を備え、操作パネル１６には、複数の操作スイッチが設けてある。図２０に示すように、本実施形態では、操作パネル１６には、開放ボタンＳ１、閉鎖ボタンＳ２、停止ボタンＳ３、圧迫ボタンＳ４、圧迫解除ボタンＳ５、非常閉鎖ボタンＳ６が設けてある。圧迫ボタンＳ４、圧迫解除ボタンＳ５、非常閉鎖ボタンＳ６はランプとしても機能する。操作パネルには、さらに、電源ランプＬ１、上下圧迫ランプＬ２が設けてある。防水扉の動作（シャッターカーテンの開閉動作、垂直圧迫動作、垂直圧迫解除動作）はこれらのボタンからの入力に基づいて制御される。より具体的には、ボタン入力による指示に従って、制御部を介して開閉機Ｍ（パネル１の昇降動作）、第１圧迫機構７（全閉状態にあるパネル１の垂直圧迫動作、垂直圧迫解除動作）の動作制御が行われる。以下、各ボタン、ランプについて説明する。
【００７６】
［開放ボタンＳ１（開放スイッチ）］
シャッターが圧迫解除状態（垂直圧迫解除状態かつ水平圧迫解除状態）、かつ、全開位置でない時、開放ボタンを押すとシャッターカーテンが上昇し、全開位置で停止する。本実施形態では、開放ボタンＳ１を押すと、開閉機Ｍによってチェーン３を吊上げる方向にスプロケット４が回転駆動され、全閉状態（垂直圧迫解除状態かつ水平圧迫解除状態）あるいは半開状態にあるパネル１が上昇する。パネル１が予め決定された上限位置まで上昇すると、上限リミットスイッチにより上限位置信号が生成され、開閉機Ｍによる駆動が停止する。本実施形態に係る動作制御装置は、開放動作無効手段を備えており、シャッターが圧迫状態（垂直圧迫状態および／あるいは水平圧迫状態）にある時には、当該開放動作無効手段によって、開放ボタンを押しても開放動作が行われない。
【００７７】
［閉鎖ボタンＳ２（閉鎖スイッチ）］
シャッターが全閉位置でない時、閉鎖ボタンＳ２を押すとシャッターカーテンは下降し、全閉位置で停止する。本実施形態では、閉鎖ボタンＳ２を押すと、開閉機Ｍによってチェーン３を繰り出す方向にスプロケット４が回転駆動され、全開状態あるいは半開状態にあるパネル１が下降する。パネル１が予め決定された下限位置まで下降すると、下限リミットスイッチにより下限位置信号が生成され、開閉機Ｍによる駆動が停止する。
【００７８】
［停止ボタンＳ３（停止スイッチ）］
シャッターの動作中もしくは、垂直圧迫動作中および垂直圧迫解除中に停止ボタンＳ３を押すと、作動中のシャッターカーテンは任意の位置で動作を停止する。より具体的には、パネル１の上昇中に停止ボタンＳ３が押されると上昇が停止し、パネル１の下降中に停止ボタンＳ３が押されると下降が停止し、圧迫動作中に停止ボタンＳ３が押されると圧迫動作が停止し、圧迫解除中に停止ボタンＳ３が押されると圧迫解除動作が停止する。
【００７９】
［圧迫ボタンＳ４（圧迫スイッチ）］
シャッターが全閉位置にあり、かつ、垂直圧迫動作が完了していない時に（本実施形態では、水平圧迫状態でないこと、すなわち、第２圧迫機構の第１リミットスイッチ８５がＯＮも条件となる）、圧迫ボタンＳ４を押すと垂直圧迫動作を開始する。垂直圧迫動作が完了すると上下圧迫ランプＬ２が点灯する。本実施形態では、全閉状態（圧迫動作中に停止ボタンＳ３が押されて停止した場合を含む）において、圧迫ボタンＳ４が押されると、第１圧迫機構７が押圧作動し、全閉姿勢にある各パネル１を下方に向かって垂直に圧迫する。第１圧迫機構７の押圧作動が完了すると（第１圧迫機構７の第２リミットスイッチ７４がＯＮとなると垂直圧迫状態信号が生成される）、上下圧迫ランプＬ２が点灯する。第２圧迫機構の押圧作動が開始すると、上下圧迫ランプＬ２が消灯し、第２圧迫機構の押圧作動が完了すると（第２圧迫機構の第２リミットスイッチ８６がＯＮとなって水平圧迫状態信号が生成される）、圧迫ボタンＳ４が点灯（例えば、赤色点灯）する。圧迫ボタンＳ４が点灯中は、シャッターカーテンが垂直圧迫状態かつ水平圧迫状態にあることを意味する。
【００８０】
［上下圧迫ランプＬ２］
上下圧迫ランプＬ２は、垂直圧迫状態が検知されている時に点灯する。すなわち、表示パネルの上下圧迫ランプＬ２の点灯時には、シャッターカーテンが垂直圧迫状態であることを意味する。第１圧迫機構７によって、シャッターカーテンが垂直圧迫状態となって、第１圧迫機構７の第２リミットスイッチ７４がＯＮとなると垂直圧迫状態検知信号が生成され、上下圧迫ランプＬ２が点灯する。上下圧迫ランプＬ２は、垂直圧迫状態検知信号が生成されない時には消灯する。本実施形態では、上下圧迫ランプＬ２は、水平圧迫解除信号が生成されていること（第２圧迫機構の第１リミットスイッチ８５がＯＮ）を点灯の条件としている。上下圧迫ランプＬ２の点灯時に、第２圧迫機構の手動操作部８の手動操作レバー８０を回動操作して第２圧迫機構の押圧作動が開始すると（第２圧迫機構の第１リミットスイッチ８５がＯＦＦ）、上下圧迫ランプＬ２が消灯し、第２圧迫機構の押圧作動が完了すると、圧迫ボタンＳ４が点灯する。第２圧迫機構の手動操作部８の手動操作レバー８０を回動操作することで、第２圧迫機構の水平圧迫解除作動が開始すると、圧迫ボタンＳ４が消灯し、第２圧迫機構が水平圧迫解除姿勢（第２圧迫機構の第１リミットスイッチ８５がＯＮ）となり、垂直圧迫状態検知が継続することで、上下圧迫ランプＬ２が点灯する。
【００８１】
［圧迫解除ボタンＳ５（圧迫解除スイッチ）］
シャッターが垂直圧迫状態にある時に（本実施形態では、水平圧迫状態でないこと、すなわち、第２圧迫機構の第１リミットスイッチ８５がＯＮも条件となる）、圧迫解除ボタンＳ５を押すと、圧迫解除動作を開始し、上下圧迫ランプＬ２が消灯し、圧迫解除動作が完了すると圧迫解除ボタンＳ５が点灯する。本実施形態では、垂直圧迫状態（圧迫解除動作中に停止ボタンＳ３が押された場合を含む）において、圧迫解除ボタンＳ５が押されると、第１圧迫機構７が解除作動を開始する。第１圧迫機構７の圧迫解除動作が完了すると（第１圧迫機構７の第１リミットスイッチ７３がＯＮとなると垂直圧迫状態解除信号が生成される）、第２圧迫機構の第１リミットスイッチ８５がＯＮであることを条件として、圧迫解除ボタンＳ５が点灯（例えば、緑色点灯）する。圧迫解除ボタンＳ５が点灯中は、シャッターカーテンが垂直圧迫解除状態かつ水平圧迫解除状態にあることを意味する。
【００８２】
［非常閉鎖ボタンＳ６］
シャッターが全閉位置でないとき、非常閉鎖ボタンＳ６を押すことで、シャッターカーテンを押切動作で下降させることができる。下降中は光電センサＰＳの入力等の他のスイッチ入力は無効となる。全閉位置まで下降すると自動的に圧迫動作を開始し、圧迫動作完了後、上下圧迫ランプＬ２が点灯する。全閉位置で非常閉鎖ボタンＳ６を押した場合には、圧迫ボタンＳ４と同様の動作を行う。すなわち、非常閉鎖ボタンＳ６は、垂直圧迫スイッチとしての機能を備えている。
【００８３】
［電源ランプＬ１］
シャッターカーテンを動作させるための電源が有効な場合には、電源ランプＬ１が点灯している。各ボタンの操作タイミングによって、ランプがすべて消灯している場合があり、電源ランプＬ１が点灯していることによって、通電していることが確認できる。具体的には、圧迫ボタンＳ４、圧迫解除ボタンＳ５、上下圧迫ランプＬ２が全て消灯しており（すなわち、垂直圧迫状態ではなく、垂直兼水平圧迫状態ではなく、垂直兼水平圧迫解除状態ではない）、電源ランプＬ１が点灯している時には、シャッターカーテンは動作中あるいは動作可能状態であると判断できる。
【００８４】
上述のように、本実施形態に係る防水扉は、全閉状態にあるシャッターカーテンを垂直方向に圧迫する第１圧迫機構７と、垂直圧迫状態にあるシャッターカーテンを水平方向に圧迫する第２圧迫機構と、シャッターカーテンが開口部全閉状態となったことを検知する全閉状態検知手段（例えば、下限リミットスイッチから構成される）と、シャッターカーテンが垂直圧迫解除状態にあることを検知する垂直圧迫解除状態検知手段（第１リミットスイッチ７３）と、シャッターカーテンが垂直圧迫状態にあることを検知する垂直圧迫状態検知手段（第２リミットスイッチ７４）と、シャッターカーテンが水平圧迫解除状態にあることを検知する水平圧迫解除状態検知手段（第１リミットスイッチ８５）と、シャッターカーテンが水平圧迫状態となったことを検知する水平圧迫状態検知手段（第２リミットスイッチ８６）と、を備えている。
【００８５】
第１圧迫機構７の圧迫動作は、全閉状態検知手段により開口部全閉状態が検知されており、かつ、垂直圧迫状態検知手段により垂直圧迫状態が検知されておらず（第２リミットスイッチ７４がＯＦＦ）、かつ、水平圧迫解除状態検知手段（第１リミットスイッチ８５）により水平圧迫解除状態が検知されている時（第１リミットスイッチ８５がＯＮ）に作動し、垂直圧迫状態検知手段により垂直圧迫状態が検知された時に停止する。第１圧迫機構７に圧迫動作を実行させる圧迫ボタンＳ４からの入力信号は、全閉状態検知手段による開口部全閉状態非検知時には無効であり、垂直圧迫状態検知手段（第２リミットスイッチ７４）による垂直圧迫状態検知時には無効であり、水平圧迫解除状態検知手段（第１リミットスイッチ８５）による水平圧迫解除状態が検知されない時には無効である。すなわち、動作制御装置は、全閉状態検知手段による開口部全閉状態非検知時、あるいは、垂直圧迫状態検知手段（第２リミットスイッチ７４）による垂直圧迫状態検知時、あるいは、水平圧迫解除状態検知手段（第１リミットスイッチ８５）による水平圧迫解除状態が検知されない時に、圧迫ボタンＳ４からの入力信号を無効とする第１圧迫機構７の圧迫動作無効手段を備えている。第１圧迫機構７の圧迫解除動作は、全閉状態検知手段により開口部全閉状態が検知されており、かつ、垂直圧迫解除状態検知手段により垂直圧迫解除状態が検知されておらず（第１リミットスイッチ７３がＯＦＦ）、かつ、水平圧迫解除状態検知手段（第１リミットスイッチ８５）により水平圧迫解除状態が検知されている時（第１リミットスイッチ８５がＯＮ）に作動し、垂直圧迫解除状態検知手段により垂直圧迫解除状態が検知された時に停止する。第１圧迫機構７に圧迫解除動作を実行させる圧迫解除ボタンＳ５からの入力信号は、全閉状態検知手段による開口部全閉状態非検知時には無効であり、垂直圧迫解除状態検知手段（第１リミットスイッチ７３）による垂直圧迫解除状態検知時には無効であり、水平圧迫解除状態検知手段（第１リミットスイッチ８５）による水平圧迫解除状態が検知されない時には無効である。すなわち、動作制御装置は、全閉状態検知手段による開口部全閉状態非検知時、あるいは、垂直圧迫解除状態検知手段（第１リミットスイッチ７３）による垂直圧迫解除状態検知時、あるいは、水平圧迫解除状態検知手段（第１リミットスイッチ８５）による水平圧迫解除状態が検知されない時に、圧迫解除ボタンＳ５からの入力信号を無効とする第１圧迫機構７の圧迫動作無効手段を備えている。
【００８６】
第１圧迫機構７の動作中に、第２圧迫機構を作動させた時には、第１圧迫機構７の動作を停止させてもよく、あるいは／および、音声（警告等）を発生させてもよい。第２圧迫機構の作動は、例えば、第１姿勢にある手動操作レバー８０が第２姿勢へ回動を開始した時に、水平圧迫解除状態検知手段（第１リミットスイッチ８５）からの信号がＯＮ→ＯＦＦとなったことで判断することができる。
あるいは、垂直圧迫状態であることを条件として、手動操作レバー８０の回動を可能としてもよい。具体的には、手動操作レバー８０のロック手段（電気的ないし機械的）を設け、垂直圧迫状態となったことを条件（第２リミットスイッチ７４がＯＮ）として電気的に手動操作レバー８０のロックを解除したり、あるいは垂直圧迫状態となった時に機械的に手動操作レバー８０のロックを解除するようにしてもよい。
【００８７】
なお、上記の複数のボタンは操作スイッチの１つの好ましい実施形態であって、例えば、非常閉鎖ボタンは任意でもよい。また、防水専用シャッターの場合に、閉鎖ボタンと垂直圧迫ボタンを共通のボタンから構成し、この共通のボタンからの操作によって、一連で閉鎖・垂直圧迫が実行されてもよい。本実施形態では、通常使用時における扉体の全閉状態は垂直圧迫解除状態であるが、シャッターカーテンの全閉状態が垂直圧迫状態であってもよい。例えば、全開状態にある時に閉鎖スイッチを押すと全閉状態（垂直圧迫状態）となり、全閉状態（垂直圧迫状態）にある時に開放スイッチを押すと全開状態となるようなものでもよく、この場合、閉鎖スイッチが圧迫スイッチであり、開放スイッチが圧迫解除スイッチである。圧迫スイッチと圧迫解除スイッチを１つのボタンから構成してもよい。例えば、止水状態にある場合にボタンが押されると圧迫解除スイッチとして機能し、非止水状態にある場合にボタンが押されると圧迫スイッチとして機能するようにしてもよい。あるいは、入力操作（押し時間、回数、これらの組み合わせ等）によって圧迫スイッチと圧迫解除スイッチを識別するようにしてもよい。
【００８８】
本実施形態では、第１室外側スイッチボックスＳＢ１、第２室外側スイッチボックスＳＢ２、室内側スイッチボックスＳＢ３からの操作入力に加えて、管理室等からの遠隔操作入力（監視カメラ等で安全を確認しながらの操作）が可能となっている。遠隔操作信号（ＤＣ２４Ｖ有電圧ａ接点）によりシャッターの一連の動作制御が可能であり、遠隔操作によって垂直圧迫動作・圧迫解除動作を行うことも可能である。
なお、圧迫動作・圧迫解除動作が所定時間（例えば２０秒以上）継続するとオーバータイム異常となり、圧迫動作・圧迫解除動作を停止するようにしてもよく、オーバータイム異常時の圧迫動作・圧迫解除動作は禁止される。操作スイッチの停止ボタンを１秒以上押すことでオーバータイム異常を解除するようにしてもよい。
本実施形態に係る防水扉の動作制御に用いられる移報接点出力について説明する。移報接点出力は、例えば、防水扉の動作制御信号を、防水扉に対して遠隔の管理室の制御装置へ出力するである。防水扉では、シャッターの状態に応じて以下の移報接点出力（無電圧ｃ接点出力）が行われる。
上限位置信号：シャッターが全開状態の時に出力される。
下限位置信号：シャッターが全閉状態の時に出力される。
垂直圧迫解除状態信号：垂直圧迫が解除されている状態の時に出力される。
垂直圧迫状態信号：垂直圧迫完了状態の時に出力される。
水平圧迫解除状態信号：水平圧迫が解除されている状態の時に出力される。
水平圧迫状態信号：水平圧迫完了状態の時に出力される。
異常信号：シャッター異常の発生時（例えば、ガイドレール異常やチェーン緩み異常等が検知された時）に出力される。
【００８９】
本実施形態に係る防水扉の基本的な動作制御の流れについて図２１、図２２に基づいて説明する。開口部全開状態ないし半開状態において、操作部（いずれかのスイッチボックスＳＢ１、ＳＢ２、ＳＢ３）の閉鎖ボタンＳ２が押されると、開閉機Ｍが作動して、パネル１が降下を開始する。シャッターカーテンが全閉位置まで降下したことを下限リミットスイッチが検知して下限位置信号が生成され、開閉機Ｍの作動が停止して開口部全閉状態となる。
【００９０】
圧迫ボタンＳ４が押されると、下限位置信号が生成されており、かつ、垂直圧迫状態検知手段（第２リミットスイッチ７４）により垂直圧迫状態が検知されておらず、かつ、水平圧迫解除状態検知手段（第１リミットスイッチ８５）により水平圧迫解除状態が検知されていることを条件として、第１圧迫機構７が作動して、垂直圧迫動作を開始し、点灯中の圧迫解除ボタンＳ５が消灯する。シャッターカーテンが垂直圧迫状態まで下方に押圧されたことを第２リミットスイッチ７４が検知して垂直圧迫状態検知信号が生成され、第１圧迫機構７の作動が停止する。垂直圧迫状態検知信号が生成されると上下圧迫ランプＬ２が点灯する。シャッターカーテンが全閉状態に無い（下限位置信号が生成されていない）場合、あるいは、シャッターカーテンが垂直圧迫状態にある（垂直圧迫状態検知信号が生成されている）場合、あるいは、シャッターカーテンが水平圧迫状態（圧迫途中状態を含む）にある（水平圧迫解除信号が生成されていない）場合には、第１圧迫機構７の圧迫動作無効手段によって、圧迫ボタンＳ４からの圧迫動作入力による垂直圧迫動作が無効となる。
【００９１】
上下圧迫ランプＬ２が点灯中（シャッターカーテンが垂直圧迫状態にあり、水平圧迫解除状態にある）に、第２圧迫機構の手動操作部８の手動操作レバー８０を第１姿勢から第２姿勢へ回動させることで、第２圧迫機構の圧迫動作が作動して、水平圧迫動作を開始し、上下圧迫ランプＬ２が消灯する。手動操作レバー８０が第２の姿勢まで回動すると水平圧迫状態が完了する。手動操作レバー８０が第２の姿勢となると第２リミットスイッチ８６がＯＮとなり、シャッターカーテンが水平圧迫状態まで室内側に押圧されたものとみなし、水平圧迫状態検知信号が生成される。左右の両方の第２圧迫機構の手動操作レバー８０が第２姿勢となって、両方の第２リミットスイッチ８６から水平圧迫状態検知信号が生成された時に、シャッターカーテンの垂直圧迫及び水平圧迫が完了したものとして、圧迫ボタンＳ４が点灯する。
【００９２】
圧迫ボタンＳ４が点灯中（シャッターカーテンが垂直圧迫状態かつ水平圧迫状態にある）に、第２圧迫機構の手動操作部８の手動操作レバー８０を第２姿勢から第１姿勢へ回動させることで、第２圧迫機構が作動して水平圧迫解除動作を開始し、圧迫ボタンＳ４が消灯する。手動操作レバー８０が第１の姿勢まで回動すると圧迫解除状態が完了する。手動操作レバー８０が第１の姿勢となると第１リミットスイッチ８５がＯＮとなり、シャッターカーテンの水平圧迫状態が解除されたものとみなし、水平圧迫解除信号が生成される。左右の両方の第２圧迫機構の手動操作レバー８０が第１姿勢となって、両方の第１リミットスイッチ８５から水平圧迫解除信号が生成された時に、シャッターカーテンの水平圧迫が完了したものとして、垂直圧迫状態検知信号にしたがって上下圧迫ランプＬ２が点灯する。
【００９３】
上下圧迫ランプＬ２が点灯中（シャッターカーテンが垂直圧迫状態にあり、水平圧迫解除状態にある）に、圧迫解除ボタンＳ５が押されると、第１圧迫機構７が作動して、垂直圧迫状態の解除を開始し、上下圧迫ランプＬ２が消灯する。シャッターカーテンが垂直圧迫解除状態となったことを第１リミットスイッチ７３により検知し、垂直圧迫状態解除信号が生成され、第１圧迫機構７の作動が停止する。水平圧迫解除信号及び垂直圧迫状態解除信号が有効となって、圧迫状態解除となり、圧迫解除ボタンＳ５が点灯する。シャッターカーテンが水平圧迫状態にある（水平圧迫状態検知信号が生成されている）場合、または、シャッターカーテンが垂直圧迫解除状態にある（垂直圧迫状態解除信号が生成されている）には、第１圧迫機構７の圧迫解除動作無効手段によって、圧迫解除ボタンＳ５からの圧迫解除動作入力による垂直圧迫状態の解除動作が無効となる。
【００９４】
開口部全開状態ないし半開状態において、非常閉鎖ボタンＳ６が押された場合には、下限位置信号の入力（圧迫ボタンを押すことに置き換わる）に基づいて、第１圧迫機構７が自動的に垂直圧迫動作を開始する。シャッターカーテンが垂直圧迫姿勢となった後に第２圧迫機構を用いて水平圧迫が行われるが、第２圧迫機構の作動については、上記記載を援用することができる。
【００９５】
本実施形態に係る防水扉は、第１室外側スイッチボックスＳＢ１の圧迫解除ボタンＳ５の無効化手段を備えている。本実施形態では、全閉状態のシャッターカーテンの垂直圧迫及び水平圧迫が完了した時点で、第１室外側スイッチボックスＳＢ１の圧迫解除ボタンＳ５からの入力を無効化する。具体的には、第１室外側スイッチボックスＳＢ１、第２室外側スイッチボックスＳＢ２、室内側スイッチボックスＳＢ３のいずれかの圧迫ボタンＳ４が押されると、第１圧迫機構７が垂直圧迫動作を行い、手動操作部８によって第２圧迫機構の水平圧迫動作が完了した時点、すなわち、第２圧迫機構の第２リミットスイッチ８６がＯＮとなった時点で（水平圧迫状態検知信号が出力された時）、第１室外側スイッチボックスＳＢ１は、圧迫解除ボタンＳ５からの入力ができない無効化状態ないしロック状態となる。このようにすることで、止水状態で第１室外側スイッチボックスＳＢ１が水没ないし浸水した際の誤作動（漏電等による）を防止している。
【００９６】
扉体が圧迫完了状態となると、室外側操作部（第１室外側スイッチボックスＳＢ１）の圧迫解除ボタンＳ５からの入力が無効化となる。したがって、扉体が圧迫完了状態にある時に、室外側操作部の圧迫解除スイッチ入力が行われてもスイッチ入力が無効となる。ここで、室外側操作部（第１室外側スイッチボックスＳＢ１）の圧迫解除スイッチの無効化には幾つかの態様が考えられ、少なくとも圧迫解除スイッチを含む個別のスイッチを無効とする場合、あるいは、室外側操作部全体を無効とする場合が例示される。また、スイッチの無効化には、当該スイッチ操作によって所定の信号自体が生成されない場合、あるいは、生成された所定の信号に基づく所定の作動自体を無効とする場合が例示できる。
【００９７】
本実施形態では、圧迫解除ボタンＳ５からの圧迫解除動作は、第２圧迫機構の両方の手動操作レバー８０が第１の姿勢にあり、両方の第１リミットスイッチ８５から水平圧迫解除信号が生成されていることが条件となるため、上記第１室外側スイッチボックスＳＢ１の無効化は重畳的であるが、第１室外側スイッチボックスＳＢ１の無効化によって、第１室外側スイッチボックスＳＢ１が水没して誤作動するようなリスクに対応している。
【００９８】
本実施形態に係る防水扉は、無効化された第１室外側スイッチボックスＳＢ１の圧迫解除ボタンＳ５の有効化手段ないしロック解除手段を備えている。第１室外側スイッチボックスＳＢ１のロック解除操作について説明する。図２２に示すように、予め設定したスイッチの組み合わせ操作（具体的な組み合わせ例は省略する）によって、圧迫解除ボタンＳ５の無効化状態が解除される。圧迫解除ボタン無効状態の解除は一定時間だけ行われるようにしてもよい。圧迫解除ボタンＳ５の無効化状態の解除後に、左右両方の手動操作レバー８０を第２姿勢から第１姿勢へ回動させることで、両方の第１リミットスイッチ８５から水平圧迫解除信号が生成された状態で、圧迫解除ボタンＳ５からスイッチ入力が有効となる。なお、シャッターカーテンが垂直圧迫状態かつ水平圧迫状態となった時、すなわち、止水状態において、第２室外側スイッチボックスＳＢ２、室内側スイッチボックスＳＢ３の圧迫解除ボタンＳ５は無効化されていないので、無効化された第１室外側スイッチボックスＳＢ１の有効化を行わない場合であっても、両方の第１リミットスイッチ８５から水平圧迫解除信号が生成された状態で、第２室外側スイッチボックスＳＢ２、室内側スイッチボックスＳＢ３のいずれかの圧迫解除ボタンＳ５を押すことで、シャッターカーテンの垂直圧迫状態を解除することができる。
【００９９】
防水扉を圧迫状態とした後で、結果的に第１室外側スイッチボックスＳＢ１が水没ないし浸水しなかった場合には、上記ロック解除によって、室外側スイッチボックスＳＢ１の圧迫解除ボタンＳ５のロック状態を解除し、当該圧迫解除ボタンＳ５を押すことで、防水扉の圧迫状態が解除される。その後の第１室外側スイッチボックスＳＢ１は有効なものとして継続使用することができる。第１室外側スイッチボックスＳＢ１が浸水した場合やロック状態解除が良好にできなかった場合には、新しいスイッチと交換すればよい。
【符号の説明】
【０１００】
１  パネル
１００  室外側面部
１０１  室内側面部
２  ガイド枠
２０  室外側見付壁
２１  室内側見付壁
６  縦枠
６６  カバー
６７  カバー
７  第１圧迫機構
７２  押圧部（押圧手段）
７４  第２リミットスイッチ（垂直圧迫状態検知手段）
８  手動操作部
８０  手動操作レバー
８１  第１要素
８２  第２要素
８２３  第１当接部
８２４  第２当接部
８３  第３要素
８４  第４要素
８４´  第５要素
８５  第１リミットスイッチ（水平圧迫解除状態検知手段）
８５０  第１被当接部
８６  第２リミットスイッチ（水平圧迫状態検知手段）
８６０  第２被当接部
２３  水平方向押圧部材（水平圧迫機構）
２３０  第１部材
２３１  第２部材
２３４  作動ロッド
２４  水密ゴム部材
Ｓ４  圧迫ボタン（電動操作部、圧迫信号入力部、圧迫状態表示部）
Ｓ５  圧迫解除ボタン（電動操作部、圧迫解除信号入力部、圧迫解除状態表示部）
Ｌ２  上下圧迫ランプ（垂直圧迫状態表示部）
【図１】
2019190149.tif 000003
【図２】
2019190149.tif 000004
【図３】
2019190149.tif 000005
【図４】
2019190149.tif 000006
【図５】
2019190149.tif 000007
【図６】
2019190149.tif 000008
【図７】
2019190149.tif 000009
【図８】
2019190149.tif 000010
【図９】
2019190149.tif 000011
【図１０】
2019190149.tif 000012
【図１１】
2019190149.tif 000013
【図１２】
2019190149.tif 000014
【図１３】
2019190149.tif 000015
【図１４】
2019190149.tif 000016
【図１５】
2019190149.tif 000017
【図１６】
2019190149.tif 000018
【図１７】
2019190149.tif 000019
【図１８】
2019190149.tif 000020
【図１９】
2019190149.tif 000021
【図２０】
2019190149.tif 000022
【図２１】
2019190149.tif 000023
【図２２】
2019190149.tif 000024